(57)【要約】【課題】基体を金属にて形成することにより、強度、耐薬品性および清掃性を向上し、また金属の素材感に基づく剛性感および硬質感から高級感を得ることができ、さらに、金属製の装備品を装着しながらも電蝕を防止したミラーキャビネット、およびこれを備えた洗面化粧台を提供することを目的としている。【解決手段】水栓１１および洗面ボール１２を備えた洗面カウンター１０と共に設置されるミラーキャビネット２０であって、金属製の基体２１と、基体２１の前方に取り付けられる鏡２２と、基体２１に取り付けられ基体２１とは異なる金属からなる照明ユニット２５と、照明ユニット２５の取付部２５ｃと基体２１との間に配置される絶縁材３６とを備え、照明ユニット２５の取付部２５ｃと、絶縁材３６と、基体２１とを貫通し、これらを締結するための貫通孔２５ｄ、３６ａ、２１ａを設けたことを特徴とする。【選択図】図４
2008136506.tif 000002
【特許請求の範囲】
【請求項１】
水栓および洗面ボールを備えた洗面カウンターと共に設置されるミラーキャビネットであって、
金属製の基体と、
前記基体の前方に取り付けられる鏡と、
前記基体に取り付けられ前記基体とは異なる金属からなる装備品と、
前記装備品の取付部と前記基体との間に配置される絶縁材とを備え、
前記装備品の取付部と、前記絶縁材と、前記基体とを貫通し、これらを締結するための貫通孔を設けたことを特徴とするミラーキャビネット。
【請求項２】
前記基体の背面に配設されるブロックを備え、
前記装備品と、前記絶縁体と、前記基体とは、前記貫通孔を挿通した締結部材によって前記ブロックに締結して固定されることを特徴とする請求項１記載のミラーキャビネット。
【請求項３】
前記基体に設けた貫通孔は、前記装備品の取付部に設けた貫通孔よりも径が大きいことを特徴とする請求項１記載のミラーキャビネット。
【請求項４】
前記基体の背面には、前記ブロックを所定位置に固定する裏補強板がさらに設けられていることを特徴とする、請求項３に記載のミラーキャビネット。
【請求項５】
前記装備品は、照明ユニットであることを特徴とする請求項１に記載のミラーキャビネット。
【請求項６】
前記基体は、ステンレス鋼にて形成されていることを特徴とする請求項１記載のミラーキャビネット。
【発明の詳細な説明】
【技術分野】
【０００１】
本発明は、洗面化粧台に洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【特許文献１】特開平０５−１６１５５７号公報
【発明の開示】
【発明が解決しようとする課題】
【０００４】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。
【０００５】
そこで、本願発明者は、ミラーキャビネットを前面に支持する基体を金属にて形成することで、合成樹脂の場合に比して強度、耐薬品性、および清掃性（清掃容易性）を向上することが可能で有ることを見出した。また金属の素材感に基づく剛性感および硬質感から高級感を得ることもできる。
【０００６】
しかし、ミラーキャビネットには照明器具や鏡、収納トレイなどの装備品が取り付けられ、これらには金属製のものも含まれる。さらに洗面化粧台は一般に浴室に隣接した脱衣所に設置されるため湯煙にさらされ、結露しやすい。そして異種金属の間に電解液が介在すると、そのイオン化傾向の違いから電蝕（電位差腐食）が生じるおそれがある。すなわち、ミラーキャビネットの基体を金属製にしたことに伴い、従来の合成樹脂製のミラーキャビネットでは発生し得なかった電蝕作用という課題が発生した。
【０００７】
そこで本発明は、基体を金属にて形成することにより、強度、耐薬品性および清掃性を向上し、また金属の素材感に基づく剛性感および硬質感から高級感を得ることができ、さらに、金属製の装備品を装着しながらも電蝕を防止することができるミラーキャビネット、およびこれを備えた洗面化粧台を提供することを目的としている。
【課題を解決するための手段】
【０００８】
上記課題を解決するために、本発明にかかるミラーキャビネットの代表的な構成は、水栓および洗面ボールを備えた洗面カウンターと共に設置されるミラーキャビネットであって、金属製の基体と、基体の前方に取り付けられる鏡と、基体に取り付けられ基体とは異なる金属からなる装備品と、装備品の取付部と基体との間に配置される絶縁材とを備え、装備品の取付部と、絶縁材と、基体とを貫通し、これらを締結するための貫通孔を設けたことを特徴とする。
【０００９】
上記構成によれば、ミラーキャビネットの基体を金属にて形成したことにより、合成樹脂の場合に比して強度、耐薬品性、および清掃性を向上し、また金属の素材感に基づく剛性感および硬質感から高級感を得ることができる。また、金属製の装備品を装着しながらも電蝕を防止することができ、耐久性を向上させることができる。
【００１０】
基体の背面に配設されるブロックを備え、装備品と、絶縁体と、基体とは、貫通孔を挿通した締結部材によってブロックに締結して固定してもよい。このように基体に貫通孔を設け、装備品を、基体背面に配設されるブロック（ネジ受け、桟）に締結部材で締結する構成により、基体に偏った押圧力がかからないので、たわんだり湾曲させたりすることなく、装備品を確実に固定することが可能となる。上記ブロックは金属以外の例えば樹脂で形成され、締結部材は非金属の装備品を介して基体に付設するので、締結部材として金属製のネジを用いた場合であっても電蝕を防止することができる。
【００１１】
基体に設けた貫通孔は、装備品の取付部に設けた貫通孔よりも径を大きくしてもよい。これにより締結部材として金属製のネジを用いた場合であっても、ネジが基体に接触することを防止し、さらに確実に電蝕を防止することができる。
【００１２】
基体の背面には、ブロックを所定位置に固定する裏補強板がさらに設けられていてもよい。ブロックが複数箇所にも及ぶ場合において装備品取付の度に位置合わせを行うと製造工程の時間効率が悪化し、位置決め精度も低くなる。また、基体背面の全面に渡ってブロックを形成すると、ブロックに要する厚み分だけ質量と材料費が必要になり、自重による安定感の欠如および高コスト化を招くこととなる。そこで、基体背面の全面に渡る裏補強板に所定厚みを有するブロックを数カ所付設することで、時間効率および位置決め精度の向上を図ることができる。
【００１３】
基体に取り付けられる装備品は、照明ユニットであってもよい。照明ユニットは安全基準に適合した組み立て品を購入して装備する必要があるため、基体と異種金属にて形成されている蓋然性が高いからである。
【００１４】
基体は、両側辺を後方に向かって２度屈曲させたリップ溝形とし、該基体の屈曲部を基体と壁面との距離を維持するスペーサーとして機能させてもよい。これにより、基体の背面側に配線のための空間を設けつつ、基体側面にも金属を露出させることができる。また基体のたわみに対する剛性が向上するため、板材を用いても鏡などの支持物に対して十分な剛性を得ることができる。またスペーサーの部材が削減できるため、部材数の削減を図ることができる。また、特にリップ溝形としたことにより、、基体のたわみに対する剛性をさらに向上させることができる。また壁面に当接する縁が屈曲させた角となるため、外観上の収まりがよいという効果も有している。
【００１５】
基体は、ステンレス鋼にて形成されていることが好ましい。これにより、特に耐薬品性、耐候性を向上させることができる。また素材感に基づく剛性感および硬質感においても、他の金属素材よりも程度の高い高級感を使用者に与えることができる。
【００１６】
また洗面化粧台は、上記ミラーキャビネットと、湯水を供給する水栓と、排水口を備えた洗面ボールとを備えた洗面カウンターと、を備えたことを特徴とする。上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。
【発明の効果】
【００１７】
本発明によれば、基体を金属にて形成することにより、強度、耐薬品性および清掃性を向上し、また金属の素材感に基づく剛性感および硬質感から高級感を得ることができ、さらに、金属製の装備品を装着しながらも電蝕を防止することができるミラーキャビネット、およびこれを備えた洗面化粧台を提供することができる。
【発明を実施するための最良の形態】
【００１８】
本発明にかかるミラーキャビネットの実施形態について説明する。本実施形態においてミラーキャビネットは、一面鏡の構成である。図１は本実施形態にかかる洗面化粧台の分解斜視図、図２は洗面化粧台の外観斜視図、図３はミラーキャビネットを背面から見た分解斜視図、図４は照明ユニットの取付部を説明する図である。なお、以下の実施例に示す寸法、材料、その他具体的な数値などは、発明の理解を容易とするための例示に過ぎず、特に断る場合を除き、本発明を限定するものではない。
【００１９】
図１および図２に示すように、洗面化粧台１は、洗面カウンター１０と、ミラーキャビネット２０とから構成されている。洗面カウンター１０は、湯水を供給する水栓１１と、排水口１２ａを備えた洗面ボール１２とを備えている。また洗面ボールの下方には収納棚１３が設けられている。
【００２０】
ミラーキャビネット２０は、金属製の基体２１と、基体２１の前方に取り付けられた鏡２２とを備えている。基体２１は、両側辺を後方に向かって２度屈曲させたリップ溝形（Ｃ形もしくはＣチャン形状ともいう）に形成されている。基体２１の背面、すなわちリップ溝形の内部には、裏補強板３０が配置されている（図３参照）。
【００２１】
基体２１には鏡２２の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。また、背面側に配線のための空間を設けつつ、基体側面にも金属面を露出させることができる。
【００２２】
基体２１の材質としてはステンレス鋼、アルミニウム、鉄鋼などを選択することができる。鉄鋼材料の場合は、防錆のために、また手垢などの汚れの付着を防止するために、塗装またはめっき処理などの表面処理をすることが好ましい。このように金属材料を用いたことにより、強度、耐薬品性および清掃性を向上し、また金属の素材感に基づく剛性感および硬質感から美観を向上し、高級感を得ることができる。
【００２３】
また金属材料は樹脂材料に比して強度（破壊強度）が大きいため、立体的な構造をとらずとも後述する鏡２２や収納トレイ２８などの支持物を支持することができる。このことは基体２１を単純なフラット形状にできることに寄与しており、視覚的な大仰感を低減し、美観を向上させると共に、清掃性を向上させることができる。
【００２４】
基体２１の材質としては、上記の中でも特にステンレス鋼を選択することが好ましい。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、他の金属素材よりも程度の高い高級感を使用者に与えることができる。
【００２５】
図３に示すように、基体２１の背面に配置された裏補強板３０は、基体２１の背面のほぼ全面を覆う面積を備えた板部３１と、板部３１に取り付けられた複数のブロック３３とから構成されている。ブロック３３は、主に基体２１の前面に取り付けられる各種装備品を締結固定する際のネジ受けとして設けられている。装備品としては上述したように、鏡２２やトレイフック２９などが、基体２１を介して裏補強板３０に取り付けられる。従って、各ブロック３３の位置は、装備品の取付位置に合わせて配置される。
【００２６】
ブロック３３が複数箇所にも及ぶ場合において、装備品取付の度に位置合わせを行うと製造工程の時間効率が悪化し、位置決め精度も低くなる。また、基体背面の全面に渡ってブロックを形成すると、ブロックに要する厚み分だけ質量と材料費が必要になり、自重による安定感の欠如および高コスト化を招くこととなる。そこで、基体背面の全面に渡る裏補強板３１に所定厚みを有するブロック３３を数カ所付設することで、時間効率および位置決め精度の向上を図ることができる。
【００２７】
装備品は、基体２１に貫通孔を設け、ブロック３３に締結部材（例えばネジ）で締結する。これにより、基体２１に偏った押圧力がかからないので、たわんだり湾曲させたりすることなく、装備品を確実に固定することが可能となる。ブロック３３は、金属以外の、例えば樹脂で形成することができる。
【００２８】
基体２１の上端には、本体上キャップ２３が取り付けられる。本体上キャップ２３は、裏補強板３０の上端ブロック３２ａに締結固定される。基体２１の下端には、本体下キャップ２４が取り付けられている。本体下キャップ２４は、裏補強板３０の下端ブロック３２ｂに締結固定され、基体２１の下面を覆う蓋部２４ａと、前方に突出して棚を構成する棚部２４ｂとからなり、棚兼用端部部材を構成している。このように本体下キャップ２４が棚をかねていることにより、部材数を削減することができ、部品コストの低減および施工性の向上を図ることができる。
【００２９】
ここで、基体２１の両側辺に形成された屈曲部分と、上端ブロック３２ａおよび下端ブロック３２ｂによって、基体の後方に空間を形成するスペーサーが構成される。この空間には、後述するように照明ユニット２５などに電気的に接続するための配線が設けられる。
【００３０】
基体２１の前面には、鏡２２が取り付けられている。本実施形態において洗面化粧台１は一面鏡であり、一枚の鏡２２が固定的に取り付けられている。鏡２２は上端及び下端に配置された鏡支持具２２ａと、場合により接着剤や両面テープを用いて取り付けられる。鏡支持具２２ａは鏡２２の上辺または下辺に嵌合される掛止部材であって、基体２１を介して裏補強板３０にネジ止めにより締結される。また鏡２２の背面には、曇り止めのための不図示のヒーターユニットが配置されている。
【００３１】
基体２１の前面であって鏡２２の上方には、装備品の一つとして、照明ユニット２５が取り付けられている。図１および図４に示すように、照明ユニット２５の取付部と基体２１との間には、板状の絶縁材３６が配置されている。
【００３２】
図４に示すように、照明ユニット２５はフレーム２５ａ、ソケット２５ｂ、および取付部２５ｃを備えている。フレーム２５ａおよび取付部２５ｃは、基体２１とは異なる金属によって一体に形成されている。そして照明ユニット２５の取付部２５ｃと、絶縁材３６と、基体２１には、それぞれを連通する貫通孔２５ｄ、３６ａ、２１ａが設けられている。そしてこの貫通孔２５ｄ、３６ａ、２１ａに締結部材の例としてのネジ３７を挿通して、裏補強板３０の板部３１に付設されたブロック３３に締結固定する。なお締結した際には、取付部２５ｃが絶縁材３６の表面に位置することにより、照明ユニット２５のフレーム２５ａの後方の縁も基体２１から離隔した状態となる。
【００３３】
上記構成において、基体２１と照明ユニット２５は異種金属であるから、仮にこれらが接していると、結露によって水が付着した場合に電蝕作用が生じてしまう。しかし照明ユニット２５を絶縁材３６を介して基体２１に締結することにより、金属製の装備品を装着しながらも電蝕を防止することができ、耐久性を向上させることができる。
【００３４】
また、基体２１に設けた貫通孔２１ａは、照明ユニット２５の取付部２５ｃに設けた貫通孔２５ｄよりも径を大きくしてもよい。これにより締結部材として金属製のネジ３７を用いた場合であっても、ネジ３７が基体２１に接触することを防止し、さらに確実に電蝕を防止することができる。
【００３５】
図１に示すように、照明ユニット２５の両側には照明カバー２６を取り付けるためのＬ字形のステー２７が取り付けられている。図４に示すように、ステー２７は基体２１に沿って配置される側面２７ａに、裏補強板３０に締結するための２つの貫通孔２７ｃを設けている。またステー２７の起立した側面２７ｂには、照明カバー２６の側面を締結固定するネジ穴２７ｄを備えている。またステー２７、基体２１、裏補強板３０、およびブロック３３にはそれぞれ貫通孔２７ｅ、２１ａ、３０ａ、３３ａが設けられており、これらの貫通孔を介して長ネジ１４を用いてミラーキャビネット２０を壁面に固定する。すなわちステー２７は、照明カバー２６を基体２１に取り付ける支持部材としての役割と、ミラーキャビネット２０を壁面に取り付ける台座としての役割とを担っている。
【００３６】
ここで、ステー２７は基体２１と同じ金属（イオン化傾向が同じ金属）を用いて形成している。従って基体２１とステー２７が当接していても、電蝕作用は生じない。このためステー２７は基体２１に直接取り付けることができ、絶縁材を介する必要がない。
【００３７】
なお、照明ユニット２５のフレーム２５ａも基体２１と同じ金属で形成すれば、絶縁材３６を介在させる必要がない。しかし形状の簡単なＬ字形のステー２７と異なり、照明ユニット２５は一般に組み立て品を購入して装備する。このため金属の材質までは自由にならない場合が多く、材料を特注すれば部品コストの上昇を招いてしまう。しかし本実施形態のように構成したことにより、任意の金属を用いた照明ユニット２５を採用することが可能となるため、生産コストの上昇を抑えることができる。
【００３８】
基体２１の前面であって鏡２２の両脇には、複数の収納トレイ２８が取り付けられる。収納トレイ２８は、基体２１の表面に取り付けられたトレイフック２９に対して嵌合することにより、着脱可能となっている。トレイフック２９は前方側が幅広に形成されており、その側面に上下方向の溝を形成している。一方、収納トレイの取付部には溝と摺動嵌合するリブが形成されている。また鏡２２の脇には、照明ユニット２５やヒーターユニットを操作するためのスイッチ３４が設けられている。
【００３９】
また基体２１の後方、すなわちリップ溝形の内部には、照明ユニット２５、ヒーターユニット、およびスイッチ３４に対する配線がなされている。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００４０】
上記説明した如く、本実施形態にかかるミラーキャビネットにおいては、基体２１を金属にて形成することにより、強度、耐薬品性および清掃性を向上し、また金属の素材感に基づく剛性感および硬質感から高級感を得ることができる。また装備品の取付部と基体との間に絶縁材を配置したことにより、金属製の装備品を装着しながらも電蝕を防止することができ、耐久性を向上させることができる。
【００４１】
なお、上記実施形態において、基体２１は後方に向かって２度屈曲させたリップ溝形として説明した。しかし本発明はこれに限定するものではなく、基体の対向する２辺を一度だけ後方に向かって屈曲させたコの字形としてもよい。また屈曲させる２辺は側辺でなくとも良く、上下辺であってもよい。さらに基体を金属の平板とし、４辺からなるスペーサーによって支持することでもよい。これらのいずれの構成にあっても、ミラーキャビネットの基体を金属にて形成したことにより、合成樹脂の場合に比して強度、耐薬品性、および清掃性を向上し、また金属の素材感に基づく剛性感および硬質感から高級感を得ることができる。
【００４２】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、洗面カウンターと共に設置されるミラーキャビネット、もしくはこれらを含む洗面化粧台として利用することができる。
【図面の簡単な説明】
【００４４】
【図１】洗面化粧台の分解斜視図である。
【図２】洗面化粧台の外観斜視図である。
【図３】ミラーキャビネットを背面から見た分解斜視図である。
【図４】照明ユニットの取付部を説明する図である。
【符号の説明】
【００４５】
１     …洗面化粧台
１０   …洗面カウンター
１１   …水栓
１２   …洗面ボール
１２ａ  …排水口
１３   …収納棚
１４   …長ネジ
２０   …ミラーキャビネット
２１   …基体
２１ａ、２５ｄ、２７ｃ、２７ｅ、３０ａ、３３ａ、３６ａ  …貫通孔
２２   …鏡
２２ａ  …鏡支持具
２３   …本体上キャップ
２４   …本体下キャップ
２４ａ  …蓋部
２４ｂ  …棚部
２５   …照明ユニット
２５ａ  …フレーム
２５ｂ  …ソケット
２５ｃ  …取付部
２６   …照明カバー
２７   …ステー
２７ａ、２７ｂ  …側面
２７ｄ  …ネジ穴
２８   …収納トレイ
２９   …トレイフック
３０   …裏補強板
３１   …板部
３２ａ  …上端ブロック
３２ｂ  …下端ブロック
３３   …ブロック
３４   …スイッチ
３６   …絶縁材
３７   …ネジ
【図１】
2008136506.tif 000003
【図２】
2008136506.tif 000004
【図３】
2008136506.tif 000005
【図４】
2008136506.tif 000006